(57)【要約】【課題】検出部により検出された負荷が水圧に起因するものなのか、他の圧力に起因するものなのかを確実に判断し、当該判断に応じて所定の制御を行うことができる携帯電子機器を提供すること。【解決手段】携帯電話装置１は、押圧操作による圧力を検出する操作検出部１０１と、操作検出部１０１による検出結果に応じて第１の制御（例えば、水圧以外の圧力が検出されたことにより行われる制御）を行う制御部１０３と、を備える。制御部１０３は、操作検出部１０１により所定値以上の圧力が所定時間以上検出された場合には、第１の制御とは異なる第２の制御（例えば、水圧が検出されたことにより行われる制御）を行う。【選択図】図５
2010011238.tif 000002
【特許請求の範囲】
【請求項１】
押圧操作による圧力を検出する操作検出部と、
前記操作検出部による検出結果に応じて第１の制御を行う制御部と、を有し、
前記制御部は、前記操作検出部により所定値以上の圧力が所定時間以上検出された場合には、前記第１の制御とは異なる第２の制御を行う、ことを特徴とする携帯電子機器。
【請求項２】
前記操作検出部は、複数設けられ、
前記制御部は、複数の前記操作検出部により所定値以上の圧力が所定時間以上同時に検出された場合には、前記第２の制御を行う、ことを特徴とする請求項１に記載の携帯電子機器。
【請求項３】
前記制御部は、前記所定値以上の圧力が前記操作検出部により検出された時間の長さに応じて前記第２の制御を異ならせる、ことを特徴とする請求項１又は請求項２に記載の携帯電子機器。
【請求項４】
前記制御部は、前記操作検出部により検出される圧力に応じて前記第２の制御を異ならせる、ことを特徴とする請求項１乃至請求項３のいずれか一項に記載の携帯電子機器。
【請求項５】
複数の前記操作検出部それぞれに近接して配置され、それぞれ異なる圧力を検出する複数の圧力検出部をさらに備え、
前記制御部は、複数の前記操作検出部により検出される圧力、又は前記複数の圧力検出部により検出される圧力に応じて前記第２の制御を異ならせる、ことを特徴とする請求項２に記載の携帯電子機器。
【請求項６】
所定の機能を実行する機能実行部を有し、
前記制御部は、前記機能実行部により前記所定の機能が実行されている状態で前記操作検出部により所定値以上の圧力が所定時間以上検出された場合には、前記機能の実行の抑制を前記第２の制御として行う、ことを特徴とする請求項１乃至請求項５のいずれか一項に記載の携帯電子機器。
【請求項７】
報知部を有し、
前記制御部は、前記操作検出部により所定値以上の圧力が所定時間以上検出された場合には、前記報知部による報知を前記第２の制御として行う、ことを特徴とする請求項１乃至請求項５のいずれか一項に記載の携帯電子機器。
【請求項８】
前記制御部は、前記操作検出部により所定値以上の圧力が所定時間以上検出された場合には、電源の抑制動作を前記第２の制御として行う、ことを特徴とする請求項１乃至請求項５のいずれか一項に記載の携帯電子機器。
【請求項９】
記憶部を有し、
前記制御部は、前記操作検出部により所定値以上の圧力が所定時間以上検出された場合には、当該検出された旨を前記記憶部に記憶させる、ことを特徴とする請求項１乃至請求項５のいずれか一項に記載の携帯電子機器。
【請求項１０】
前記操作検出部を有する第１の筐体と、
前記操作検出部を被覆する閉状態と前記操作検出部を露出する開状態との間を移動可能に前記第１の筐体に連結される第２の筐体と、を有し、
前記制御部は、前記閉状態のときに、前記操作検出部により所定値以上の圧力が所定時間以上検出された場合には、前記第１の制御とは異なる第２の制御を行う、ことを特徴とする請求項１乃至請求項９のいずれか一項に記載の携帯電子機器。
【発明の詳細な説明】
【技術分野】
【０００１】
本発明は、押圧操作による圧力を検出する操作検出部を有する携帯電子機器に関する。
【背景技術】
【０００２】
近年、雨や埃等による影響を軽減するために、防水機能を付加した携帯端末が市場に提供されている。例えば、負荷を検出する検出部と、当該検出部により負荷が検出されると第１の制御（通常の携帯端末が発揮する着信等の諸機能）を行う制御部を有する水深計付携帯電子機器が提案されている（特許文献１を参照。）。
【特許文献１】特開平７−２１８６６２号公報
【発明の開示】
【発明が解決しようとする課題】
【０００３】
ところで、特許文献１に示されているような機器においては、検出部により検出された負荷が水圧に起因するものなのか、他の圧力に起因するものなのか判断することが困難である。
【０００４】
本発明は、検出部により検出された負荷が水圧に起因するものなのか、他の圧力に起因するものなのかを確実に判断し、当該判断に応じて所定の制御を行うことができる携帯電子機器を提供することを目的とする。
【課題を解決するための手段】
【０００５】
（１）本発明に係る携帯電子機器は、上記課題を解決するために、押圧操作による圧力を検出する操作検出部と、前記操作検出部による検出結果に応じて第１の制御（例えば、水圧以外の圧力が検出されたことにより行われる制御）を行う制御部と、を有し、前記制御部は、前記操作検出部により所定値（例えば、水深５ｍに携帯電子機器がおかれた場合の水圧値）以上の圧力が所定時間以上検出された場合には、前記第１の制御とは異なる第２の制御（例えば、水圧が検出されたことにより行われる制御）を行う、ことを特徴とする。
【０００６】
（２）本発明では、（１）の携帯電子機器において、前記操作検出部は、複数設けられ、前記制御部は、複数の前記操作検出部により所定値以上の圧力が所定時間以上同時に検出された場合には、前記第２の制御を行う、ことが好ましい。
【０００７】
（３）本発明では、（１）又は（２）の携帯電子機器において、前記制御部は、前記所定値以上の圧力が前記操作検出部により検出された時間の長さに応じて前記第２の制御を異ならせる、ことが好ましい。
【０００８】
（４）本発明では、（１）乃至（３）の携帯電子機器において、前記制御部は、前記操作検出部により検出される圧力に応じて前記第２の制御を異ならせる、ことが好ましい。
【０００９】
（５）本発明では、（２）の携帯電子機器において、複数の前記操作検出部それぞれに近接して配置され、それぞれ異なる圧力を検出する複数の圧力検出部をさらに備え、前記制御部は、複数の前記操作検出部により検出される圧力、又は前記複数の圧力検出部により検出される圧力に応じて前記第２の制御を異ならせる、ことが好ましい。
【００１０】
（６）本発明では、（１）乃至（５）の携帯電子機器において、所定の機能を実行する機能実行部を有し、前記制御部は、前記機能実行部により前記所定の機能が実行されている状態で前記操作検出部により所定値以上の圧力が所定時間以上検出された場合には、前記機能の実行の抑制を前記第２の制御として行う、ことが好ましい。
【００１１】
（７）本発明では、（１）乃至（５）の携帯電子機器において、報知部を有し、前記制御部は、前記操作検出部により所定値以上の圧力が所定時間以上検出された場合には、前記報知部による報知を前記第２の制御として行う、ことが好ましい。
【００１２】
（８）本発明では、（１）乃至（５）の携帯電子機器において、前記制御部は、前記操作検出部により所定値以上の圧力が所定時間以上検出された場合には、電源の抑制動作を前記第２の制御として行う、ことが好ましい。
【００１３】
（９）本発明では、（１）乃至（５）の携帯電子機器において、記憶部を有し、前記制御部は、前記操作検出部により所定値以上の圧力が所定時間以上検出された場合には、当該検出された旨を前記記憶部に記憶させる、ことが好ましい。
【００１４】
（１０）本発明では、（１）乃至（９）の携帯電子機器において、前記操作検出部を有する第１の筐体と、前記操作検出部を被覆する閉状態と前記操作検出部を露出する開状態との間を移動可能に前記第１の筐体に連結される第２の筐体と、を有し、前記制御部は、前記閉状態のときに、前記操作検出部により所定値以上の圧力が所定時間以上検出された場合には、前記第１の制御とは異なる第２の制御を行う、ことが好ましい。
【発明の効果】
【００１５】
本発明によれば、検出部により検出された負荷が水圧に起因するものなのか、他の圧力に起因するものなのかを確実に判断することができる。
【発明を実施するための最良の形態】
【００１６】
以下、図面を参照して本発明を実施するための最良の形態を説明する。なお、以下、携帯電子機器の一例として携帯電話装置について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等のアンテナを備えた他の通信機器であっても良い。
【００１７】
図１は、ホスト装置と通信を行う本発明に係る携帯電子機器の一例である携帯電話装置１の外観斜視図を示す。また、図２は、携帯電話装置１を折畳んだ状態の斜視図を示す。
【００１８】
携帯電話装置１は、図１及び図２に示すように、表面がフロントパネル２ａとフロントケース２ｂとリアケース２ｃと図示しないリアパネル２ｄとにより構成される操作部側筐体部２（第１の筐体）と、表面がフロントパネル３ａとフロントケース３ｂとリアケース３ｃとリアパネル３ｄとにより構成される表示部側筐体部３（第２の筐体）と、を備えて構成される。
【００１９】
操作部側筐体部２は、フロントパネル２ａの表面に、操作キー群１１と、携帯電話装置１の使用者が通話時に発した音声が入力される音声入力部１２とが露出するように構成される。また、操作キー群１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５と、から構成されている。また、操作部側筐体部２の側面には、外部機器（例えば、ホスト装置）と通信を行うためのインターフェースを覆うキャップが設けられている。
【００２０】
また、表示部側筐体部３は、フロントパネル３ａに、各種情報を表示するためのディスプレイ２１と、通話の相手側の音声を出力するレシーバ２２とが露出するように構成される。
【００２１】
また、操作部側筐体部２の上端部と表示部側筐体部３の下端部とは、図１に示すように、ヒンジ機構４（連結部）を介して連結されている。また、携帯電話装置１は、ヒンジ機構４を介して連結された操作部側筐体部２と表示部側筐体部３とを相対的に動かすことにより、操作部側筐体部２の表面と表示部側筐体部３の表面とが互いに向き合って折り畳まれることで操作キー群１１が被覆された状態（閉状態）にしたり、操作部側筐体部２の表面と表示部側筐体部３との表面とが外部に露出して互いに開くことで操作キー群１１が露出された状態（開状態）に移動したりすることができる。なお、本実施形態において、ヒンジ機構４による折り畳み式の携帯電話装置１の説明をしているが、折り畳み式ではなく、両筐体２、３を重ね合わせた状態から一方の筐体を一方向にスライドさせるようにしたスライド式や、重ね合せ方向に沿う軸線を中心に一方の筐体を回転させるようにした回転式や、両筐体２、３を、２軸ヒンジを介して連結したものでも良い。また、形態が変化しないストレートタイプであっても良い。
【００２２】
操作部側筐体部２は、図２に示すように、一方の側面に、所定の機能が割り当てられているサイドキー３０と、外部メモリの挿入及び取り出しが行われるインターフェース用のキャップ３１と、を備えている。また、表示部側筐体部３は、一方の側面に、スライドキー３２を備えている。また、表示部側筐体部３のリアパネル３ｄ表面には、被写体を撮像するカメラ３３と、被写体に光を照射するライト３４と、が露出して設けられている。なお、カメラ３３とライト３４は、カメラモジュールを構成する。
【００２３】
また、操作部側筐体部２は、図３に示すように、フロントパネル２ａと、フロントケース２ｂと（図３においてはフロントパネル２ａとフロントケース２ｂとは結合されている）、上述した操作キー群１１を備えるキーシート４０と、配線基板４５と、を備える。キーシート４０は、全体がラバーで構成されており、表面に各キー（押し子）が形成されている。
【００２４】
配線基板４５は、フロントパネル２ａ側の面に複数のキースイッチＡ（図７参照）を有し、それぞれのキースイッチは、椀状に湾曲して立体的に形成された金属板のメタルドームを有する構造になっている。メタルドームは、その椀状形状の頂点が押圧されると、配線基板４５の表面に印刷された不図示の電気回路に形成されるスイッチ端子に接触して電気的に導通する。なお、配線基板４５は、複数の絶縁フィルムの間に配線を挟み込んだものである。
【００２５】
また、フロントパネル２ａには、複数のキー孔１６が形成される。複数のキー孔１６それぞれからは、キーシート４０上に形成される機能設定操作キー１３、入力操作キー１４及び決定操作キー１５の押圧面が露出する。この露出した操作キー群１１を構成する機能設定操作キー１３、入力操作キー１４及び決定操作キー１５の押圧面を押し下げるように押圧することで、対応するキースイッチそれぞれにおけるメタルドーム（椀状形状）の頂点が押圧され、スイッチ端子に接触して電気的に導通する。
【００２６】
また、図４は、携帯電話装置１の機能を示す機能ブロック図である。携帯電話装置１は、図４に示すように、外部の端末と通信を行う通信部６と、通信部６により通信される情報を処理する処理部７と、を備えている。
【００２７】
通信部６は、図４に示すように、第１の使用周波数帯により外部装置と通信を行うメインアンテナ５１と、ＲＦ回路を含み、変調処理又は復調処理等の信号処理を行う通信処理部５２と、を備える。また、通信部６は、充電池（図示せず）から電源の供給を受けている。
【００２８】
メインアンテナ５１は、第１の使用周波数帯（例えば、８００ＭＨｚ）で外部装置と通信を行う。なお、本実施の形態では、第１の使用周波数帯として、８００ＭＨｚとしたが、これ以外の周波数帯であっても良い。また、メインアンテナ５１は、第１の使用周波数帯の他に、第２の使用周波数帯（例えば、２ＧＨｚ）に対応できる、いわゆるデュアルバンド対応型による構成であっても良いし、さらに、第３の使用周波数帯にも対応できる複数バンド対応型により構成されていても良い。
【００２９】
通信処理部５２は、メインアンテナ５１によって受信した信号を復調処理し、処理後の信号を処理部７に供給し、処理部７から供給された信号を変調処理し、メインアンテナ５１を介して外部装置に送信する。
【００３０】
また、処理部７は、図４に示すように、操作キー群１１と、音声入力部１２と、ディスプレイ２１と、レシーバ２２と、所定の演算処理を行うＣＰＵ７１と、所定のデータが格納されているメモリ７２と、所定の音処理を行う音響処理部７３と、所定の画像処理を行う画像処理部７４と、一定周期で振動するモータ７５と、被写体を撮像するカメラ３３と、着信音等が出力されるスピーカ７０ａ、７０ｂと、を備えている。また、処理部７は、充電池（図示せず）から電源の供給を受けている。
【００３１】
このように構成される携帯電話装置１は、例えば、ダイバーが海へ潜水する際に海中においても利用できるように、防水機能を有している。また、携帯電話装置１は、水圧を負荷として検出する機能を有しているが、この携帯電話装置１によれば、当該負荷が水圧に起因するものなのか、他の圧力（例えば、人為的に行われた圧力）に起因するものなのかを確実に判断することができる。以下に、携帯電話装置１に係る当該機能を発揮するための構成と動作について詳述する。
【００３２】
携帯電話装置１は、図５に示すように、操作検出部１０１と、制御部１０３とを備えている。操作検出部１０１は、押圧操作による圧力を検出する。制御部１０３は、操作検出部１０１により圧力が検出されると第１の制御（例えば、水圧以外の圧力が検出されたことにより行われる制御）を行う。また、制御部１０３は、操作検出部１０１により所定値（例えば、水深５ｍに携帯電子機器がおかれた場合の水圧値）以上の圧力が所定時間（例えば１０秒間）以上検出されると第１の制御とは異なる第２の制御（例えば、水圧が検出されたことにより行われる制御）を行う。
【００３３】
ここで、操作検出部１０１及び制御部１０３による水圧検出について説明する。操作検出部１０１は、操作キー群１１を構成する複数のキーのそれぞれに対応して配置される複数のキースイッチＡ（図７参照）に相当する。つまり、操作検出部１０１は、複数設けられている。また、制御部１０３は、ＣＰＵ７１に相当する。
【００３４】
携帯電話装置１が通常の使用（例えば、水中以外の場所（例えば、陸上）における使用）に供される場合には、操作キー群１１は、ユーザにより順繰りに各キーが操作される。つまり、所定のキーが長時間連続して押圧されることはほとんどない。これに対して、携帯電話装置１が特殊使用（例えば、水中における使用）に供される場合には、高い確率で操作検出部１０１が所定の圧力を所定時間以上検出するであろうと推定される。
【００３５】
そこで、制御部１０３（ＣＰＵ７１）は、操作検出部１０１が所定の圧力で押圧されている場合であっても、当該押圧の検出時間が所定時間（例えば１０秒間）連続しなければ水中である可能性が低いため、通常使用であると判断して、第１の制御を行う。また、当該押圧の検出時間が所定時間（例えば１０秒間）連続している場合には水中の可能性が高いため、特殊使用であると判断して、第２の制御を行う。
なお、第１の制御とは、水圧以外の圧力が検出されたことにより行われる制御であって、通常の使用に係る制御（通話時における制御や、メールの送受信における制御等）のことである。また、第２の制御とは、水圧が検出されたことにより行われる制御であって、特殊使用に係る制御（警告のためのＬＥＤ等の発光制御や、電源をＯＦＦにする制御等）である。
【００３６】
このようにして、携帯電話装置１によれば、操作検出部１０１により検出された圧力がユーザの操作によるものなのか、水圧によるものなのかを容易に判断することができるため、部品点数の削減を図りつつ、機器の状態に応じた適切な制御を行うことができ、使い勝手を向上させることができる。
【００３７】
また、携帯電話装置１は、偶然に操作検出部１０１が所定の圧力を検出したとしても、所定時間を待って第２の制御を行うため、第２の制御が誤って行われるおそれが低減され、使い勝手を向上させることができる。
【００３８】
なお、本実施例においては、複数の操作検出部１０１は、操作キー群１１に相当するとして説明したが、これに限られず、水圧を検出可能であれば他の形態であっても適用が可能である。
【００３９】
また、操作検出部１０１は、複数設けられ、制御部１０３は、複数の操作検出部１０１により所定値以上の圧力が所定時間以上同時に検出された場合には、第２の制御を行うような構成であっても良い。
【００４０】
携帯電話装置１を特殊使用（例えば、水中における使用）に供する場合には、操作キー群１１は、水深に応じた水圧により全てのキーが一定の圧力で同時に押圧される。つまり、水中では、複数の操作検出部１０１が水圧により同時に所定値以上の圧力を検出する。
そこで、制御部１０３は、複数の操作検出部１０１（複数のキースイッチＡ）により所定値以上の圧力が所定時間以上同時に検出された場合には、第２の制御を行う。このような制御を行うことにより、第２の制御が誤って行われるおそれが低減され、水圧の検出精度の向上が図れ、携帯電話装置１の使い勝手を向上させることができる。
【００４１】
また、制御部１０３は、所定値以上の圧力が操作検出部１０１により検出された時間の長さに応じて第２の制御を異ならせるような構成であっても良い。
【００４２】
例えば、制御部１０３は、操作検出部１０１により所定の圧力が検出された時間が１分間の場合には、第２の制御としてＬＥＤ等の発光制御を行い、当該時間が１０分間の場合には、第２の制御としてＬＥＤ等の発光制御に加え、モータ７５による振動制御を行う。このような制御を行うことにより、水中での状態を適切にユーザに知らしめることができ、携帯電話装置１の破損を回避することができる。
【００４３】
また、例えば、制御部１０３は、操作検出部１０１により所定の圧力が検出された時間が１分間の場合には、電源回路を制御してスリープモードに移行させ、当該時間が１０分間の場合には、電源回路を制御して電源をＯＦＦにする。このような制御を行うことにより、水中での状態の変化に伴う携帯電話装置１の破損を回避し、かつ省電力を図ることができる。
【００４４】
このように、操作検出部１０１により所定の圧力が検出された時間は、携帯電子機器が水中におかれている時間とみなすことができるので、検出時間に応じて第２の制御を異ならせることにより、水中での使い勝手をさらに向上させることができる。
【００４５】
また、制御部１０３は、操作検出部１０１により検出される圧力に応じて第２の制御を異ならせるような構成であっても良い。
【００４６】
例えば、制御部１０３は、操作検出部１０１により検出された圧力が一定の閾値以下（圧力が弱い）の場合には、ＬＥＤ等の発光制御を行い、当該圧力が一定の閾値以上（圧力が強い）の場合には、ＬＥＤ等の発光制御に加え、モータ７５による振動制御を行う。このような制御を行うことにより、水圧の変化を適切にユーザに知らしめることができ、携帯電話装置１の破損を回避することができる。
【００４７】
また、例えば、制御部１０３は、操作検出部１０１により検出された圧力が一定の閾値以下（圧力が弱い）の場合には、電源回路を制御してスリープモードに移行させ、当該圧力が一定の閾値以上（圧力が強い）の場合には、電源回路を制御して電源をＯＦＦにする。このような制御を行うことにより、水圧の変化に伴う携帯電話装置１の破損を回避し、かつ省電力化を図ることができる。
【００４８】
このようにして、操作検出部１０１により検出された圧力は、水深に比例して大きくなると考えられるので、圧力に応じて第２の制御を異ならせることにより、水中での使い勝手をさらに向上させることができる。
【００４９】
また、携帯電話装置１は、図５に示すように、複数の操作検出部１０１それぞれに近接して配置され、それぞれ異なる圧力を検出する複数の圧力検出部１０２をさらに備え、制御部１０３は、複数の操作検出部１０１により検出される圧力、又は複数の圧力検出部１０２により検出される圧力に応じて第２の制御を異ならせるような構成であっても良い。
【００５０】
複数の圧力検出部１０２は、複数のキースイッチＡそれぞれに近接して配置される複数の圧力検出スイッチＢ（図７参照）に相当する。複数の圧力検出部１０２は、水深に応じて検出圧力の小さい圧力検出部１０２から順に圧力を検出する。
例えば、制御部１０３は、複数の圧力検出部１０２のうちの一つの圧力検出部１０２により圧力が検出された場合には、複数のＬＥＤのうちの一つのＬＥＤの発光制御を行い、複数の圧力検出部１０２のうちの二つの圧力検出部１０２により圧力が検出された場合には、複数のＬＥＤのうちの二つのＬＥＤの発光制御を行う。
【００５１】
このように、圧力を検出する圧力検出部１０２の数は、水深に比例して大きくなると考えられる。よって、圧力に応じて第２の制御を異ならせることにより、水中での使い勝手をさらに向上させることができる。
【００５２】
また、携帯電話装置１は、図５に示すように、所定の機能を実行する機能実行部１０４を有する構成であっても良い。このような構成の場合には、制御部１０３は、機能実行部１０４により所定の機能が実行されている状態で、操作検出部１０１により所定値以上の圧力が所定時間連続して検出されると機能の実行の抑制を前記第２の制御として行う。
【００５３】
例えば、水中において使用困難な機能（水中では音が伝わりにくいため、特に放音を伴う機能（ヘッドホン使用中を除く）。）が実行されている状態において、携帯電話装置１が水中に没した場合には、当該機能を実行している意味がなく、無駄に電力が消費されてしまう。
【００５４】
そこで、携帯電話装置１によれば、このような状況下においては、第２の制御により当該機能が抑制されるため、省電力化を図ることができる。
【００５５】
また、携帯電話装置１は、図５に示すように、報知部１０５を有する構成であっても良い。このような構成の場合には、制御部１０３は、操作検出部１０１により所定値以上の圧力が所定時間連続して検出されると報知部１０５による報知を第２の制御として行う。
【００５６】
例えば、携帯電話装置１は、操作検出部１０１により所定値以上の圧力が所定時間連続して検出された場合には、報知部１０５としてのＬＥＤやディスプレイ２１のバックライトを発光させたり、また、報知部１０５としてのモータ７５を駆動させたりする。
【００５７】
このような構成によれば、携帯電話装置１は、一定以上の水深に達した状態において所定時間経過した場合に、所定の報知を行うことにより、携帯電話装置１の破損を回避し、使い勝っての向上を図ることができる。
【００５８】
制御部１０３は、操作検出部１０１により所定値以上の圧力が所定時間以上検出された場合には、電源の抑制動作を第２の制御として行う構成であっても良い。
【００５９】
このような構成によれば、携帯電話装置１は、一定以上の水深に達した状態において所定時間経過した場合に、電源の抑制（例えば、電源のＯＦＦやスリープモード）を行うことにより、携帯電話装置１の破損を回避し、省電力化を図ることができる。
【００６０】
また、携帯電話装置１は、図５に示すように、記憶部１０６を有する構成であっても良い。このような構成によれば、制御部１０３は、操作検出部１０１により所定値以上の圧力が所定時間以上検出された場合には、当該検出された旨を記憶部１０６に記憶させる。
【００６１】
例えば、携帯電話装置１が規格上、「水深１０ｍまでの使用」を保証していた場合に、１０ｍを所定値として設定する。そうすると１０ｍを超える水圧が所定時間連続して検出された場合には、規格外の使用がなされたことが記憶部１０６に記憶されるため、通常の故障なのか、規格外使用に起因する故障なのかが記憶部１０６の内容を参照することで容易に判定することができ、故障の原因を探る手掛かりとすることができる。
【００６２】
＜水没検出方法＞
ここで、水没したときの検出方法について図７を参照しながら説明する。図７は、図１のＸ−Ｘ線断面図である。
携帯電話装置１では、上述した通り、操作キー群１１は、複数のキーを備えており、当該操作キー群１１がキーシート４０上に形成されている。したがって、操作キー群１１は、水没状態において、直接水圧がかかる状態にある。本発明に係る携帯電話装置１は、既存の装置構成を利用して、複数のキーそれぞれに対応して配置される複数のキースイッチＡによるキーの押圧検出とキーシート４０の構造により水没及び水圧をリアルタイムに検出することができる水深（水圧）計の機能を有している。
【００６３】
通常、操作キー群１１を構成する複数のキーそれぞれが押圧されるときの重さは１００〜１５０（ｇ）である。なお、当該重さは、携帯電話装置によって異なり、１００（ｇ）以下の場合もあり得るし、１５０（ｇ）以上の場合もあり得る。本実施例においては、一応の目安として、操作キー群１１を構成する複数のキーそれぞれが押圧されるときの重さを１００〜１５０（ｇ）にしている。
【００６４】
また、一つのキー面積を約１３（ｍｍ）×７（ｍｍ）＝９１（ｍｍ２）であるとすると、水深１ｍでの水圧は１（ｇ／ｃｍ３）より９１（ｍｍ２）×１０００（ｍｍ）／１０００（ｍｍ）３＝９１（ｇ）となり、水深２ｍでは９１×２＝１８２（ｇ）となり、水深４ｍでは９１×４＝３６４（ｇ）となり、・・・、水深２０ｍでは９１×４＝１８２０（ｇ）となる。
【００６５】
したがって、水深２（ｍ）では全てのキーが水圧によって連続的に押圧されている状態となる。制御部１０３は、通常使用においては、操作上、所定のキーが連続的に押圧されることは無いため、所定のキーが所定値以上の圧力で所定時間連続して押圧された状態を水没状態と判定する。
なお、制御部１０３は、全てのキーが同時に所定値以上の圧力で所定時間連続して押圧された状態を水没状態と判定しても良い。また、通常は同時に押圧されない複数のキーが同時に所定値以上の圧力で所定時間連続して押圧された状態を水没状態と判定しても良い。
このようにして、携帯電話装置１は、水没を検出する機構を直接水で濡らすことなく水没状態を確実に検出することができる。
【００６６】
また、携帯電話装置１では、通常のキー操作よりも弱い力で押圧されるようにキースイッチＡとラバー厚みを設定する構成にすることにより、２（ｍ）よりも浅い場所で水没を検出することができる。また、通常のキー操作よりも強い力で押圧されるようにキースイッチＡとラバー厚みを設定する構成にすることにより、２（ｍ）よりも深い場所で水没を検出することができる。
【００６７】
＜水深検出方法＞
つぎに、水深の検出方法について説明する。
携帯電話装置１においては、図７に示すように、操作キー群１１の各キーのそれぞれに対応して、上述の水没を検出するキースイッチＡとは異なる圧力検出スイッチＢを設け、これら複数の圧力検出スイッチＢとキーシート４０のラバー厚みとを適宜組み合わせて設定し、水深度毎に一つずつ圧力検出スイッチＢが順番に押圧される構成にする。このような構成によれば、制御部１０３は、押圧される圧力検出スイッチＢに応じて、水深を検出することができる。
なお、操作キー群１１の各キーのそれぞれに検出圧力の異なるキースイッチＡを配置して、キースイッチＡとキーシート４０のラバー厚みとを適宜組み合わせて設定し、水深度毎に一つずつキーが順番に押下される構成であっても良い。
また、キースイッチＡで検出される圧力に応じて水深を検出する構成であっても良い。
【００６８】
＜水深表示方法＞
つぎに、水深の表示方法について説明する。
キーシート４０には、図７に示すように、複数の発光部Ｃ（例えば、ＬＥＤにより構成されている）が形成されており、各キーを背後から照らすように構成されている。携帯電話装置１では、これら複数の発光部Ｃをレベルメータのように利用して、水深が一目で分かるように制御する。例えば、制御部１０３は、水深が２ｍでは、ＬＥＤを１個点灯し、水深が４ｍでは、２個点灯し、・・・、水深が２０ｍでは１０個点灯する等の制御を行っても良い。
【００６９】
なお、ディスプレイ２１により水深を表示するような構成の場合には、ディスプレイ２１のバックライトは、約５０ｍＡの電流を消費する。また、バックライトを長時間点灯すると、電池の負担が大きくなってしまう。これに対してＬＥＤ一個の消費電流は、２ｍＡ程度とバックライトに比べて消費量が少なく、また、長時間の点灯ができるため、ユーザは、都合に合わせて操作キー群１１を眺めることにより容易に水深の確認ができる（図６を参照。）。
【００７０】
＜水没警告＞
つぎに、水没したときの警告方法について説明する。
防水機能を有する装置であっても、その防水機能を超えるような水没等の環境下に置かれる場合がある。本発明に係る携帯電話装置１は、水没検出機能により水中にあることを検出し、水没時間を記録する機能と、筐体の表面に温度センサを搭載し、水温を検出する機能とを有している。
【００７１】
携帯電話装置１では、水没時間を記録する機能と、水温を検出する機能とにより得られた情報から、１．水深（水圧）が設定した水深を超えた場合、２．水没時間が設定時間を超えた場合、３．水温が設定温度範囲を超えた場合、のいずれかに該当する場合に所定の警告（例えば、ＬＥＤ等の発光動作や、モータ７５の駆動による警告）を行う。
【００７２】
つぎに、キーシート４０の具体的な構成について説明する。
なお、以下の実施例では、キーシート４０上に形成されるテンキー（１〜９、０）と、＊キーと、＃キーの１２個のキーを利用して水没検出及び水深検出を行う構成とする。また、各キーは、キーを押下したという感触（クリック感）をユーザに与える必要があるため、全てのキーが同じ加重で動くように構成されている。
【００７３】
携帯電話装置１では、図７に示すように、水圧がかかると、この水圧によりキーシート４０に設けられた各キーが押圧される。各キーに対応して配置された各キースイッチＡは、上述したように、配線基板４５上のパターンをメタルドーム等により押し付けてスイッチングさせており、メタルドーム等により一定の加重が確保できる。
【００７４】
携帯電話装置１は、所定の水圧によって所定のキースイッチＡ、例えば、全てのキースイッチＡ、又は決められた複数のキーに対応する複数のキースイッチＡが同時に所定時間連続して押下された状態を検出した場合には、水没していると判定する。即ち、複数のキースイッチＡは、水没検出スイッチとして機能する。
なお、携帯電話装置１は、一つのキースイッチＡが所定の水圧によって所定時間連続して押圧された状態を検出した場合に、水没していると判定する構成としても良い。
【００７５】
また、携帯電話装置１では、図７に示すように、各キーに対応して配置された各圧力検出スイッチＢの上部に位置するキーシート４０とフロントパネル２ａとの間にも水が侵入するような構成にされており、各圧力検出スイッチＢの上部に位置するキーシート４０は、水圧を均等に受ける。
【００７６】
また、携帯電話装置１は、水圧によるキーの誤入力を防ぐために、水没していると判定した後は、キーロックをかける構成であっても良い。また、携帯電話装置１は、水没後において水中カメラ等の機能を使いたい場合には、特定のキーのみ操作可能とするような構成であっても良い。
【００７７】
また、携帯電話装置１では、各キーに対応するキースイッチＡは、特定の水圧で押下されるようにそれぞれ設定され、水深が深くなる毎に一つずつ押下されるように構成されても良い。例えば、テンキーの「１」のキーを１８２（ｇ）の押圧力に設定し、テンキーの「２」のキーを３６４（ｇ）の押圧力に設定することにより、何個のキーが押圧されたかにより重さが分かり、当該重さから水深を検出することができる。
【００７８】
また、携帯電話装置１では、検出した水深によりテンキーを点灯表示させる構成であっても良い。例えば、４（ｍ）の水深で「１」キーと「２」キーに対応する圧力検出スイッチＢが押下されれば、「１」キーの背面及び「２」キーの背面に配置されている発光部（ＬＥＤ）Ｃを点灯させることにより、水深が４（ｍ）であることをユーザに視覚的に報知することができる（図８を参照）。また、携帯電話装置１は、他の報知例として、ディスプレイ２１により「水深○○ｍ」と表示する構成であっても良い。
【００７９】
＜動作方法＞
つぎに、携帯電話装置１の動作について、図９に示すフローチャートを参照しながら説明する。
【００８０】
ステップＳ１において、制御部１０３は、水没の監視を開始する。制御部１０３は、間欠的に待受受信を行うタイミングで水没の監視を行っても良いし、間欠的又は連続的に任意のタイミングで水没の監視を行っても良い。
【００８１】
ステップＳ２において、制御部１０３は、キーの押下（押圧）検出を行う。制御部１０３は、全てのキースイッチＡ（又は特定の複数のキースイッチＡ）が同時に押下されていること、又は特定の一つのキースイッチＡに押下されていることを検出した場合には、キースイッチＡの押圧時間をカウントする第１タイマーの駆動を開始し、ステップＳ３に進む。また、全てのキースイッチＡ（又は特定の複数のキースイッチＡ）が同時に押下されていないと検出した場合、又は特定の一つのキースイッチＡに押下されていないと検出した場合には、ステップＳ１に戻る。
【００８２】
ステップＳ３において、制御部１０３は、ステップＳ２の工程による所定のキースイッチＡの押下を検出した後に、キースイッチＡの押圧時間をカウントする第１タイマーの駆動を開始する。
【００８３】
ステップＳ４において、制御部１０３は、ステップＳ３の工程により駆動した第１タイマーを参照し、キースイッチＡの押圧時間を測定し、予め設定してある第１設定時間を超えているか否かを判断する。第１設定時間を超えていると判断した場合には（Ｙｅｓ）水没を検出し、ステップＳ５に進む。また、設定時間を超えていないと判断した場合には（Ｎｏ）、ステップＳ１に戻る。
【００８４】
ステップＳ５において、制御部１０３は、水没を検出した場合には、水圧によるキー押下の誤動作を防止するために、キーロックの制御を行う。
【００８５】
ステップＳ６において、制御部１０３は、ステップＳ３の工程により駆動した第１タイマーをリセットする。
【００８６】
ステップＳ７において、制御部１０３は、ステップＳ５の工程による水没を検出した後に、水没時間をカウントする第２タイマーの駆動を開始する。
【００８７】
ステップＳ８において、制御部１０３は、温度センサにより測定されている水温を検出し、予め設定された温度の範囲か否かを判断する。設定温度の範囲外の場合には（Ｎｏ）、ステップＳ９に進み、設定温度の範囲内の場合には（Ｙｅｓ）、ステップＳ１１又はステップＳ１２に進む。
【００８８】
ステップＳ９において、制御部１０３は、設定温度の範囲外である旨を表示する。
【００８９】
ステップＳ１０において、制御部１０３は、警告動作を行う。なお、制御部１０３は、その後、設定温度の範囲内に戻れば、ステップＳ９における表示と、ステップＳ１０における警告動作を解除する。
【００９０】
ステップＳ１１において、制御部１０３は、ステップＳ９における表示と、ステップＳ１０における警告動作が実行されている場合であって、設定温度の範囲内に戻ったことを確認した場合には、ステップＳ９における表示と、ステップＳ１０における警告動作を解除する。
【００９１】
ステップＳ１２において、制御部１０３は、ステップＳ７の工程により駆動した第２タイマーを参照し、水没時間を測定し、予め設定してある第２設定時間を超えているか否かを判断する。第２設定時間を超えていると判断した場合には（Ｙｅｓ）、ステップＳ１３に進み、第２設定時間を超えていないと判断した場合には（Ｎｏ）、ステップＳ１５に進む。
【００９２】
ステップＳ１３において、制御部１０３は、第２設定時間を超えている旨を表示する。
【００９３】
ステップＳ１４において、制御部１０３は、警告動作を行う。
【００９４】
ステップＳ１５において、制御部１０３は、押下されている圧力検出スイッチＢの数ｎをカウントするカウンタをゼロにする（ｎ＝０）。
【００９５】
ステップＳ１６において、制御部１０３は、設定されているｎ番目のキーに対応する圧力検出スイッチＢが押下されているか否かを判定する。ｎ番目のキーに対応する圧力検出スイッチＢが押下されていると判定した場合には、ステップＳ１７に進み、ｎ番目のキーに対応する圧力検出スイッチＢが押下されていないと判定した場合には、ステップＳ１８に進む。各圧力検出スイッチＢは、対応するキー毎に押下される圧力が異なっており、制御部１０３は、押下されている圧力検出スイッチＢを監視することで水深を測定することができる。
【００９６】
ステップＳ１７において、制御部１０３は、ｎ番目のキーに対応する発光部（ＬＥＤ）Ｃを点灯するように制御する。例えば、制御部１０３は、「１」キーに対応する圧力検出スイッチＢのみ押下されている場合には、「１」キーに対応する発光部（ＬＥＤ）Ｃのみ点灯するように制御する。
【００９７】
ステップＳ１８において、制御部１０３は、押下されている圧力検出スイッチＢの数ｎを一つインクリメントする（ｎ＝ｎ＋１）。
【００９８】
ステップＳ１９において、制御部１０３は、押下されている圧力検出スイッチＢの数ｎが規定の数（キーの数＋１）に達したか否かを判断する。規定の数に達していると判断した場合には（Ｙｅｓ）、ステップＳ２０に進み、規定の数に達していないと判断した場合には、ステップＳ１６に戻る。
【００９９】
ステップＳ２０において、制御部１０３は、設定した深度よりも深いか否かを判断する。設定した深度よりも深いと判断した場合には（Ｙｅｓ）、ステップＳ２１に進み、設定した深度よりも深くないと判断した場合には（Ｎｏ）、ステップＳ２３又はステップＳ２４に進む。
【０１００】
ステップＳ２１において、制御部１０３は、設定深度よりも深い旨を表示する。
【０１０１】
ステップＳ２２において、制御部１０３は、警告動作を行う。なお、制御部１０３は、その後、設定深度の範囲内に戻れば、ステップＳ２１における表示と、ステップＳ２２における警告動作を解除する。
【０１０２】
ステップＳ２３において、制御部１０３は、ステップＳ２１における表示と、ステップＳ２２における警告動作が実行されている場合であって、設定深度の範囲内に戻ったことを確認した場合には、ステップＳ２１における表示と、ステップＳ２２における警告動作を解除する。
【０１０３】
ステップＳ２４において、制御部１０３は、キーの押下検出を行う。制御部１０３は、全てのキースイッチＡ（又は特定の複数のキースイッチＡ）が同時に押下されていること、又は特定の一つのキースイッチＡに押下されていることを検出した場合には、水没し続けていることを検出し、ステップＳ８に戻る。また、全てのキースイッチＡ（又は特定の複数のキースイッチＡ）が同時に押下されていない、又は特定の一つのキースイッチＡが押下されていないと検出した場合には、ステップＳ２５に進む。
【０１０４】
ステップＳ２５において、制御部１０３は、ステップＳ７の工程により駆動した第２タイマーをリセットする。
【０１０５】
ステップＳ２６において、制御部１０３は、水没の監視を終了する。
【０１０６】
なお、携帯電話装置１は、ユーザが予め、水深、水温、時間の範囲を設定できるようにしておき、範囲を超えた時に警告するような設定部を備える構成であっても良い。
【０１０７】
従来構成に係る携帯電話装置においては、回路に形成されている検出用の回路端子が水に濡れるか否かによって水没の検出を行っていた。一方で本発明に係る携帯電話装置１では、上述したように、キーの押圧状態を検出することにより水没を検出しており、従来装置のように回路内に水を侵入させる必要がなく、回路を水濡れから防ぐことができる。
【０１０８】
また、従来構成に係る携帯電話装置においては、水圧センサから出力される電気信号量を処理部（ＣＰＵ）の読めるデジタル値に変換することにより水深の検出を行っており、外付けのセンサが必要なため製造コストの増加に繋がっていた。一方で本発明に係る携帯電話装置１は、既存の部品であるラバーキーと筐体の構造、及びキースイッチの拡張、及び水圧が水深に比例して等しく筐体に作用する事象を利用することにより水深を検出するので、製造コストを増加することなく水深の検出を行うことができる。
【０１０９】
また、従来構成に係る携帯電話装置では、水深を液晶ディスプレイ等に表示することによりユーザに報知していた。一方で本発明に係る携帯電話装置１では、既存の部品であるキーの照明する部材（キーＬＥＤ）の点灯パターンを水深によって変化させて、レベルメータのように表示制御することによりユーザに報知する。したがって、携帯電話装置１は、一目で水深を認識させることができ、また、液晶ディスプレイに水深表示をさせることに比べて大幅に消費電流の削減を図ることができる。
また、携帯電話装置１では、例えば、数秒程度で消灯してしまう液晶ディスプレイに比べて、低消費電力で長時間の水深表示が可能であり、ユーザは、容易に水深を確認することができる効果を奏する。
【０１１０】
また、従来構成に係る携帯電話装置では、いわゆるダイバー向けの仕様ではないため、だいたい１ｍ程度の水没状態しか想定していない。このような携帯電話装置をより防水性能を向上させてダイバー向けの仕様にしようとした場合には、種々の問題（例えば、キーが水圧によって押されてしまい、誤動作を起こしてしまう等）が予想される。本発明に係る携帯電話装置１では、水没判定によりキーロックをかけることによりキーの誤動作を防止する構成になっている。
【０１１１】
また、本発明に係る携帯電話装置１では、ダイバー機能を持たせることにより、予め設定した範囲（例えば、水深）を超えたときに、水中にあっても認識できるような警告をユーザに与える構成になっており、未然に事故を防止することができる。
なお、本実施形態においては、携帯電話装置１が閉状態であろうと開状態であろうと、水没検出を行う構成となっていたが、本発明はこれに限定されず、通常の使用状態で操作キー群１１が操作される可能性が極めて低い閉状態のときに限って水没検出を行うように構成しても良い。これにより、通常の使用状態で偶然に操作キー群１１が所定の圧力で所定の時間以上操作された場合に、意図せぬ第２の制御が行われてしまうおそれが低減される。
【図面の簡単な説明】
【０１１２】
【図１】本発明に係る携帯電話装置の外観斜視図である。
【図２】携帯電話装置を折畳んだ状態の斜視図である。
【図３】操作部側筐体部に内蔵される部材の分解斜視図である。
【図４】本発明に係る携帯電話装置の機能を示すブロック図である。
【図５】本発明に係る携帯電話装置のダイバー機能を発揮する構成に係るブロック図である。
【図６】ＬＥＤの消費電力とディスプレイのバックライトの消費電力との対比を示す図である。
【図７】図１のＸ−Ｘ線断面図である。
【図８】テンキーにより深度を表示する際の表示形態の一例を示す図である。
【図９】本発明に係る携帯電話装置の動作の説明に供するフローチャートである。
【符号の説明】
【０１１３】
１  携帯電話装置
２  操作部側筐体部
３  表示部側筐体部
１０１  操作検出部
１０２  圧力検出部
１０３  制御部
１０４  機能実行部
１０５  報知部
１０６  記憶部
【図１】
2010011238.tif 000003
【図２】
2010011238.tif 000004
【図３】
2010011238.tif 000005
【図４】
2010011238.tif 000006
【図５】
2010011238.tif 000007
【図６】
2010011238.tif 000008
【図７】
2010011238.tif 000009
【図８】
2010011238.tif 000010
【図９】
2010011238.tif 000011